(57)【要約】【課題】検体の個数やサイズが変わっても、自在に対応し得る医療検査用カセットを提供する。【解決手段】カセット本体１の内周壁面に溝部１２が設けられると共に、仕切壁１３は中央で交叉するように一体化された十字状からなるタテ壁１４とヨコ壁１５から形成されている。またそれぞれの壁の両端には垂直方向に表面に突起１６を有する支持部１７が設けられている。仕切壁１３は、該支持部１７の表面の突起１６を介して前記溝部１２に嵌着され、且つ支持部１７の外側面がカセット本体１の内周壁面に密接された状態で、前記カセット本体１に装着され、その結果、カセットの内部は複数の小室１８（図では４個の小室）に分割される。【選択図】  図４
2005091257.tif 000002
【特許請求の範囲】
【請求項１】
カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体の内周壁面に溝部が設けられ、仕切壁本体の一端又は両端に垂直方向に支持部が設けられ、該支持部の表面に前記溝部に嵌合する突起が設けられた仕切壁が該突起を介して前記溝部に嵌着されることにより、前記カセット本体が複数の小室に分割されていることを特徴とする医療検査用カセット。
【請求項２】
仕切壁が少なくとも１個のタテ壁と少なくとも１個のヨコ壁とが十字状に交叉してなる請求項１記載の医療検査用カセット。
【請求項３】
少なくとも１個のタテ壁と少なくとも１個のヨコ壁とが一体的に十字状に交叉してなる請求項２記載の医療検査用カセット。
【請求項４】
少なくとも１個のタテ壁と少なくとも１個のヨコ壁とが取り外し自在に組み付けて十字状に交叉してなる請求項２記載の医療検査用カセット。
【請求項５】
タテ壁とヨコ壁が交叉する角部並びにタテ壁及びヨコ壁が支持部と接する角部が円弧状又は鈍角に形成されている請求項２〜４のいずれか１項に記載の医療検査用カセット。
【請求項６】
カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体の内周壁面に溝部が設けられ、矩形状の仕切壁本体の少なくとも１辺の表面に前記溝部に嵌合する突起が設けられた仕切壁が該突起を介して前記溝部に嵌着されることにより前記カセット本体が複数の小室に分割されていることを特徴とする医療検査用カセット。
【請求項７】
矩形状の仕切壁本体の角部が円弧状又は鈍角に形成されている請求項６記載の医療検査用カセット。
【請求項８】
蓋及び／又はカセット本体が耐薬品性の透明樹脂からなる請求項１〜７のいずれか１項に記載の医療検査用カセット。
【請求項９】
透明樹脂がポリプロピレン樹脂である請求項８記載の医療検査用カセット。
【請求項１０】
透明樹脂がポリエステル樹脂である請求項８記載の医療検査用カセット。
【発明の詳細な説明】
【技術分野】
【０００１】
本発明は、医療検査用顕微鏡標本の作成に使用する医療検査用カセットに関し、更に詳しくは、大小の検体が単数から複数個あっても、必要に応じて着脱自在の仕切壁によって小室を構築し、これら検体を別々の小室に収納できるようにした医療検査用カセットに関する。
【背景技術】
【０００２】
従来の医療検査用カセットとしては、例えば、図１１、１２に示したものが知られている（例えば、特許文献１参照）。図１１は医療検査用カセットの構成を示す断面図であり、図１２は前記カセットから蓋を取り外した状態のカセット本体の上面図である。図１１、１２に示したように、従来の医療検査用カセットは、耐薬品性樹脂からなるカセット本体１と蓋２とを具備してなる。
【０００３】
カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【０００４】
一方、カセット本体１の上面に被着される蓋２は、着脱可能な板状体で、板面に多数の透孔７を有し、裏面の外周面に沿ってカセット本体１内に嵌合するリブ８と、後述する仕切壁１３を両側から挟着するリブ８とを有し、短辺側の一方側には係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【０００５】
そして、カセット本体１の内部は、全く区画されてないものを基本容器とし、成形時にカセット本体１と一体的に成形された仕切壁１３で区画される複数の小室（図では９室の例を示している）１８を備えている。実際の医療現場においては、仕切壁１３の無い基本容器のものから仕切壁１３によって区画され、大きさの異なる小室１８を有する医療検査用カセットの中から検体のサイズに適合したものを選択して利用される。
【０００６】
すなわち、カセット本体１に検体（図示せず）を収納するに際しては、比較的大きめの検体の場合には、カセット本体１に仕切壁１３の無い基本容器としてのカセットや、仕切壁１３で仕切られた比較的大きめの小室１８を有するカセットに入れられ、また、比較的小さい検体では１個であれば、上記同様の基本容器としてのカセットに入れられ、また数が多い場合には、仕切壁１３で仕切られた比較的小さめの小室１８を備えたカセットに入れられる。
【特許文献１】特開２００１−３２４４２８公報
【発明の開示】
【発明が解決しようとする課題】
【０００７】
しかしながら、上記の如く、成形時にカセット本体を仕切壁で仕切って小室を一体成形してなる仕切壁固定方式の医療検査用カセットにおいては、大き目の検体を収納できず、また検体の個数やサイズに対応した大小さまざまな小室を１個又は複数個有する数多くの種類のカセットを予め準備しておく必要があり、従って、カセットの供給メーカーやユーザーにとっては、その生産や在庫管理が面倒であるばかりでなく、運搬や保管のためのスペースもそれだけ多く必要で、これらは全てコストアップの要因になっていた。
【０００８】
また、パラフィンブロックを作製する工程において、検体を収容したトレイの段部にカセット本体を載せ、カセット本体が液状パラフィンに浸るまで液状パラフィンをカセット本体の上方から検体上に注ぎ足すが、この場合に、仕切壁が邪魔となって液状パラフィンの透過を妨げ、液状パラフィンの注ぎ足しの作業効率を低下させる。
【０００９】
更にまた、液状パラフィンが固化した後トレイを取り去ることにより、検体を包埋したパラフィンがカセット本体の底部に付着したパラフィンブロックが得られるが、このパラフィンブロックを収納ケース内に横向きに並べる場合に、やはり仕切壁が邪魔になってパラフィンブロックの頂部が仕切壁に当たり、収納効率を低下させるということも問題であった。
【００１０】
本発明は、上記諸課題に鑑み、検体の個数やサイズが変わっても、カセットは一種類か極めて少ない種類で対応することを可能とし、該カセットの生産や在庫管理を容易にするとともに、運搬や保管のためのスペースを最小にしてトータルコストの低減を図り、更にパラフィンの注ぎ足しの作業効率を向上させると共に、パラフィンブロックの収納効率を向上することを目的とする。
【課題を解決するための手段】
【００１１】
上記目的を達成するために、本発明の請求項１は、カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体の内周壁面に溝部が設けられ、仕切壁本体の一端又は両端に垂直方向に支持部が設けられ、該支持部の表面に前記溝部に嵌合する突起が設けられた仕切壁が該突起を介して前記溝部に嵌着されることにより、前記カセット本体が複数の小室に分割されていることを特徴とする医療検査用カセットを内容とする。
【００１２】
本発明の請求項２は、仕切壁が少なくとも１個のタテ壁と少なくとも１個のヨコ壁とが十字状に交叉してなる請求項１記載の医療検査用カセットである。
【００１３】
本発明の請求項３は、少なくとも１個のタテ壁と少なくとも１個のヨコ壁とが一体的に十字状に交叉してなる請求項２記載の医療検査用カセットである。
【００１４】
本発明の請求項４は、少なくとも１個のタテ壁と少なくとも１個のヨコ壁とが取り外し自在に組み付けて十字状に交叉してなる請求項２記載の医療検査用カセットである。
【００１５】
本発明の請求項５は、タテ壁とヨコ壁が交叉する角部並びにタテ壁及びヨコ壁が支持部と接する角部が円弧状又は鈍角に形成されている請求項２〜４のいずれか１項に記載の医療検査用カセットである。
【００１６】
本発明の請求項６は、カセット本体と蓋とを具備してなり、前記カセット本体が上面を開放し、多数の透孔を有し、検体を収容し得る方形の容器からなり、前記蓋がカセット本体に着脱自在に取り付けられ、多数の透孔を有してなる医療検査用カセットにおいて、前記カセット本体の内周壁面に溝部が設けられ、矩形状の仕切壁本体の少なくとも１辺の表面に前記溝部に嵌合する突起が設けられた仕切壁が該突起を介して前記溝部に嵌着されることにより前記カセット本体が複数の小室に分割されていることを特徴とする医療検査用カセットを内容とする。
【００１７】
本発明の請求項７は、矩形状の仕切壁本体の角部が円弧状又は鈍角に形成されている請求項６記載の医療検査用カセットである。
【００１８】
本発明の請求項８は、蓋及び／又はカセット本体が耐薬品性の透明樹脂からなる請求項１〜７のいずれか１項に記載の医療検査用カセットである。
【００１９】
本発明の請求項９は、透明樹脂がポリプロピレン樹脂である請求項８記載の医療検査用カセットである。
【００２０】
本発明の請求項１０は、透明樹脂がポリエステル樹脂である請求項８記載の医療検査用カセットである。
【発明の効果】
【００２１】
本発明の医療検査用カセットは、内部に仕切りの無い状態を基本容器とし、内部に交叉状又は矩形状の仕切壁を装着することによって、すなわち、カセット本体の内周壁面に溝部を設け、仕切壁本体の一端又は両端に垂直方向に支持部を設け、更に該支持部の表面に突起を設けて該突起を前記溝部に嵌着したことにより、あるいは、矩形状の仕切壁本体の少なくとも１辺の表面に突起を設けて前記溝部に嵌着したことにより、支持部や矩形状の仕切壁本体がカセット本体の円周壁面に接触するので仕切壁を安定的にカセット本体に装着するための安定化作用を発揮し、例えば、薬液の流れに対しても仕切壁を曲がり難くし、仕切壁は前記カセット本体に強固且つ安定的に固定され、且つ基本容器を複数の小室に分割することにより、形やその大きさ、また個数の異なる種々の検体に対応して小室を形成することができる。
従つて、カセットは一種類又は少数の種類を準備するだけで対応できるとともに、その生産や在庫管理を容易にするとともに、運搬や保管のためのスペースを最小限にして、コストを大巾に減することが可能となる。
【００２２】
また、仕切壁内の角部や仕切壁と支持部との接触部の角部を円弧状又は鈍角に形成することにより、角部に入り込んだ検体をピンセットで取り出す際の作業が一層容易になり作業性が高められる。
【００２３】
また、パラフィンブロック作製の工程において、パラフィンの透過を妨げる仕切壁を取り外して実施できるので、注ぎ足しの作業効率が高められる。更に、仕切壁を取り外して、パラフィンブロックを収納ケース内に並べられるので、仕切壁の厚みだけスペースを小さくでき、その結果、パラフィンブロックの収納効率が大巾に高められる。
【００２４】
更に、カセット本体、蓋のいずれか、又はその両方を透明樹脂で作成することにより、内部の検体の状況を視認することができ、顕微鏡標本作成の効率化、確実化を図るとともに、精度の高い検査結果を得ることができる。
【発明を実施するための最良の形態】
【００２５】
本発明の医療検査用カセット及び仕切壁の材質は、耐薬品性の合成樹脂や金属が好ましく、合成樹脂としては例えばポリアセタール、ポリアミド、ポリカーボネート、ポリエステル、ポリプロピレン等が挙げられ、また金属としてはステンレス等が挙げられる。更に、カセット本体を合成樹脂製とし、蓋を金属製とすることもでき、また、その逆も可能である。
【００２６】
また、カセット本体、蓋のいずれかが、又はその両方が透明材料で作成されるのが好ましい。蓋のみが透明材料からなる場合は、蓋の外側から、またカセット本体のみが透明材料からなる場合はカセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することを可能とし、もって、顕微鏡標本作成の効率化、確実化が図られると共に、精度の高い検査結果が得られる。
【００２７】
透明樹脂としては、例えば、ポリプロピレン樹脂、ポリエステル（特にPET ）樹脂が好適であり、とりわけ耐薬品性に優れ低コストという点からポリプロピレン樹脂が好適である  。
【００２８】
本発明における仕切壁は、タテ又はヨコ方向の１個の壁で形成されていてもよく、あるいは、少なくとも２個の壁が十字状に交叉するように取り外し自在に組み付けてもよく、また一体化されて形成されていてもよい。形成される小室のサイズや数を自由に調整できる点からは取り外し自在に組み付ける方式が好ましい。少なくとも２個の壁の形態では、少なくとも１個のタテ壁と少なくとも１個のヨコ壁とからなることが好ましく、また仕切壁本体の一端又は両端に表面に突起を有する支持部を設け、カセット本体に設けられた溝部に前記突起が嵌合し且つ支持部の外面がカセットの内周面に圧接されている状態が好ましい。これによって仕切壁が安定的にカセット本体内に取り付けられる。
【００２９】
支持部は仕切壁本体に対して、通常、垂直方向に設けられるが、５度程度以内で傾斜させることにより、傾斜した支持部の可撓性、弾発力により支持部がカセット本体の内周壁面に押しつけられ、安定的に装着される。また、支持部を外方に弧状に反らせたり、波形状としても同様の効果が得られる。
【００３０】
また支持部は仕切壁本体の一端又は両端に垂直方向に設けて、その角部を円弧状や鈍角に形成しておくことが望ましく、ピンセットによる検体の取り扱いを容易になし得るという点からは、支持部を壁の両端に設け且つ角部を円弧状や鈍角とするのが好ましい。また、タテ壁とヨコ壁を一体化する場合は接着剤等により一体化してもよいが、成形加工時に一体化するのが好ましい。
【００３１】
また、本発明は仕切壁として、矩形状の仕切壁とすることもできる。この場合、矩形状の仕切壁本体の少なくとも１辺の表面に突起を設け、該突起をカセット本体に設けられた溝部に嵌着することにより、複数の小室を容易に構築することが可能であり、また、矩形状の仕切壁の内部を成形加工時に予め仕切っておくことで小室の数をさらに増やすことも可能である。
【実施例】
【００３２】
以下、本発明の医療検査用カセットの実施例を図面に基づいて説明するが、本発明はこれらにより何等限定されるものではない。
【００３３】
実施例１
図１（ａ）、（ｂ）は、本発明の医療検査用カセットの上面図及び側面図、図２及び図３は、図１におけるそれぞれのＡ−Ａ断面図及びＢ−Ｂ断面図である。
また、図４はカセットから蓋の部分を取り外して上から視たときの、仕切壁を装着したカセット本体の上面図である。
尚、カセット本体の上面図は、図面が煩雑になるのを避けるため、透孔が省略されている。実施例２以降においても同様である。
【００３４】
図１（ａ）、（ｂ）〜図４に示すように、本発明の医療検査用カセットは、カセット本体１と蓋２とを具備してなり、カセット本体１は、上面を開放した方形の容器で、底部に多数の透孔３を有し、短辺側の一側壁の外側に底部に向かって末広がり状に傾斜した板状の記録部４を有し、その内側に係止溝５を有し、他の側壁の外側に係止部６を有する。
【００３５】
また、カセット本体１の上面に嵌合される蓋２は、着脱可能な板状体で、板面に多数の蓋透孔７を有し、裏面の外周面に沿ってカセット本体１内に嵌合するリブ８を有し、短辺側の一方側には前記係止溝５の記録部４の裏面に沿って嵌入係合する傾斜状係止片９を有し、短辺側の他方側にはカセット本体１よりも僅かに大きめの突縁部１０を有し、係止部６と係合する係止片１１を有している。
【００３６】
そして、カセット本体１の内周壁面に溝部１２が設けられると共に、仕切壁１３は中央で交叉するように一体化された十字状からなるタテ壁１４とヨコ壁１５からなり、またその両端にはそれぞれの壁の垂直方向に表面に突起１６を有する支持部１７が設けられている。仕切壁１３は、該支持部１７の表面の突起１６を介して前記溝部１２に嵌着され、且つ支持部１７の外側面がカセット本体１の内周壁面に接した状態で、前記カセット本体１に装着され、その結果カセットの内部は複数の小室１８（図では４個の小室）に分割される。
【００３７】
本実施例の場合は同一サイズの小室１８が均等に４個形成されているが、仕切壁１３としてのタテ壁１４及び／又はヨコ壁１５の交叉箇所をずらせることにより、大小２個づつの小室、又は大小合わせて４個の小室を任意のサイズに形成することも可能である。また、支持部１７は、図２、図３で示したように、高さがリブ８の分だけ低く、カセット本体１に蓋２を嵌合した際は、蓋２のリブ８が嵌合するので、運搬する際などに仕切壁１３が上下に揺れ動くことはない。もっとも、リブ８を有しない蓋の場合には、仕切壁１３の両端を低くする必要はない。
【００３８】
実施例２
図５は本実施例のカセット本体の上面図で、即ち、カセットから蓋の部分を取り外して上から視たときの、仕切壁を装着したカセット本体の上面図である。なお、医療検査用カセットを構成する各要素の中、前述の実施例１と同一の構成要素についてはその説明を割愛し、それ以外の異なる内容について説明する。
【００３９】
前述の実施例１においては、タテ壁１４とヨコ壁１５からなり、中央で交叉した十字状の仕切壁１３は一体化された形態であるが、本実施例では仕切壁としてのタテ壁１４とヨコ壁１５とは別体であって、両者を十字状に組み付けた構成からなる。
タテ壁１４とヨコ壁１５とを十字状に組み付けるには、それぞれの部材の中央の対向する側を略１／２の深さで且つ壁厚よりも僅かに大き目の巾に予め切り欠いておき、その上で、あたかも十字状に組み付けられている障子の桟のように組み付ける。
本実施例の形態によれば、仕切壁１３が全くない場合、タテ壁１４又はヨコ壁１５のいずれか１個のみを装着した場合、そして、タテ壁１４とヨコ壁１５の２個を十字状に組み付け装着した場合の３通りの形態があり、それぞれ分割される室の大きさとその数は、基本容器の仕切の無い室を大１個の室として、順次、中２個の小室、小４個の小室を形成することができる。
【００４０】
実施例３
図６は、本実施例のカセット本体の上面図である。同図に示すように、本実施例の医療検査用カセットは、タテ壁１４とヨコ壁１５を一体的に形成した仕切壁１３を、カセット本体１の内周壁面の上下左右に設けた４個の溝部１２に装着した点は、前述の実施例１の図４に示した形態と基本的に同様であるが、相違する点は、先端がフリー状態のタテ壁１４Ａが１個追加されている点、及びタテ壁１４とヨコ壁１５との２個の壁が交叉する角部と、タテ壁１４及びヨコ壁１５が支持部１７と接する角部とが円弧状に形成されている点である。この形態では一体的な該仕切壁１３を装着しなければ基本容器のまま利用でき、また装着すれば、小４個の小室と中２個の小室とを同時に利用できる。
また、図７は先端がフリー状態のタテ壁１４Ａを更に１個（合計２個）追加した形態であり、この場合は小８個の同サイズの小室を同時に利用できる。
また、図６、図７のいずれの形態もタテ壁１４とヨコ壁１５の２個の壁が交叉する角部等が円弧状に形成されているので、検体をピンセットで摘んで取り出す際にスムーズに取り出すことができる。
【００４１】
実施例４
上記実施例１〜３では溝部１２の形成は、カセット本体１の短辺側及び長辺側の内周壁面の中央にそれぞれ１個ずつ設けた場合について説明したが、この形態に限定されずに、カセット本体１の短辺側か長辺側のどちらか一方側の内周壁面にだけ設けて仕切壁１３を装着するようにしてもよい。
図８はカセット本体の上面図であるが、この形態では、カセット本体１の上下の長辺側の内周壁面に計４個設けて仕切壁１３を装着するようにしたものである。この形態では、小９個の小室を同時に利用することが可能である。また、２個の壁が交叉する角部が円弧状に形成されているので、前述と同様検体をピンセットで摘んで取り出す際にスムーズに取り出すことができる。
【００４２】
なお、本例ではカセット本体１の長辺側の内周壁面に溝部１２を設けた場合を示したが、短辺側の内周壁面にのみ溝部１２を設けてよいし、又は短辺側と長辺側の両方の内周壁面に適宜設けた上、仕切壁１３を装着するようにしてもよいことは勿論である。
【００４３】
実施例５
図９は、本実施例のカセット本体の上面図である。同図に示すように、本実施例の医療検査用カセットは、カセット本体１の内周壁面に溝部１２が設けられ、矩形状の仕切壁本体１３Ａの表面に突起１６を有する仕切壁１３が、該突起１６を介して前記溝部１２に嵌着されることによりカセット本体１は３個の小室１８に分割されている。
図に示したように、矩形状の仕切壁本体１３Ａの上下の外周面は、カセット本体１の内周壁面に当接又は軽く圧接しており、この上下の部分は前述実施例２で説明した支持部１７に相当し、支持部１７と同様に、安定的に矩形状仕切壁１３をカセット本体内に嵌着することができる。また、図９においては、２個の溝部１２に２個の突起１６が対応して嵌着されている様子を示しているが、上下どちらか一方の側のみに溝部１２を設け突起１６を嵌着してもよい。
【００４４】
また、溝部１２を設ける位置は図示した上下方向（短辺方向）ではなく、左右方向（長辺方向）に設けてもよいし、またカセット本体の長短辺の中央でなくてもよい。また、矩形状に形成された仕切壁本体１３Ａの内周面は破線で示したようにその角部が円弧状又は鈍角になるように形成すれば、上記したように、検体をピンセットでスムーズに取り出すことができる。
本実施例によれば前例と同様、検体の個数やサイズに応して極めて少ない種類のカセットで対応することが可能となる。
【００４５】
実施例６
図１０は、本実施例のカセット本体の上面図である。同図に示すように、本実施例の医療検査用カセットは、前述の実施例５に示した矩形状の仕切壁１３をカセット本体１内に２個装着した場合である。仕切壁１３内はヨコ壁１５によって予め分割されている上、それぞれの仕切壁１３は適宜着脱可能なので、本例ではさらに検体の種々のサイズや、種類に対応することができ、また最大７個の小室を適宜利用することが可能となる。
【産業上の利用可能性】
【００４６】
本発明の医療検査用カセットは、内部に仕切りの無い状態を基本容器とし、内部に交叉状又は矩形状の仕切壁を装着することによって、すなわち、カセット本体の内周壁面に溝部を設け、仕切壁本体の一端又は両端に垂直方向に支持部を設け、更に該支持部の表面に突起を設けて該突起を前記溝部に嵌着したことにより、あるいは、矩形状の仕切壁本体の少なくとも１辺の表面に突起を設けて前記溝部に嵌着したことにより、支持部や矩形状の仕切壁本体がカセット本体の内周壁面に接触するので恰も安定化作用を発揮し、例えば、薬液の流れに対しても仕切壁を曲がり難くし、仕切壁は前記カセット本体に強固且つ安定的に固定され、基本容器を複数の小室に分割することにより、形やその大きさ、また個数の異なる種々の検体に対応して小室を形成することができる。
従つて、カセットは一種類又は少数の種類を準備するだけで対応できるばかりでなく、その生産や在庫管理を容易にし、更に運搬や保管のためのスペースを最小限にするので、コストを大巾に低減することが可能となる。
【００４７】
また、パラフィンブロック作製の工程において、パラフィンの透過を妨げる仕切壁を取り外して実施できるので、注ぎ足しの作業効率が高められる。更に、仕切壁を取り外して、パラフィンブロックを収納ケース内に並べられるので、仕切壁の厚みだけスペースを小さくでき、その結果、パラフィンブロックの収納効率が大巾に高められる。
【図面の簡単な説明】
【００４８】
【図１】（ａ）本発明の実施例１における医療検査用カセットの上面図である。（ｂ）同カセットの側面図である。
【図２】同カセットの図１におけるＡ−Ａ断面図である。
【図３】同カセットの図１におけるＢ−Ｂ断面図である。
【図４】同カセットから蓋の部分を取り外し、上から視たときのカセット本体と仕切壁との関係を示す上面図である。
【図５】本発明の実施例２における医療検査用カセットの蓋の部分を取り外し、上から視たときのカセット本体と仕切壁との関係を示す上面図である。
【図６】本発明の実施例３における医療検査用カセットの蓋の部分を取り外し、上から視たときのカセット本体と仕切壁の関係を示す上面図である。
【図７】同カセットの蓋の部分を取り外し、上から視たときのカセット本体と他の仕切壁との関係を示す上面図である。
【図８】本発明の実施例４における医療検査用カセットの蓋の部分を取り外し、上から視たときのカセット本体と仕切壁との関係を示す上面図である。
【図９】本発明の実施例５における医療検査用カセットの蓋の部分を取り外し、上から視たときのカセット本体と仕切壁との関係を示す上面図である。
【図１０】本発明の実施例６における医療検査用カセットの蓋の部分を取り外し、上から視たときのカセット本体と仕切壁との関係を示す上面図である。
【図１１】従来の医療検査用カセットの構成を示す断面図である。
【図１２】同カセットから蓋の部分を取り外した状態のカセット本体の上面図である。
【符号の説明】
【００４９】
１  カセット本体
２  蓋
３  透孔
４  記録部
５  係止溝
６  係止部
７  蓋透孔
８  リブ
９  傾斜状係止片
１０  突縁部
１１  係止片
１２  溝部
１３  仕切壁
１３Ａ  仕切壁本体
１４、１４Ａ  タテ壁
１５  ヨコ壁
１６  突起
１７  支持部
１８  小室
【図１】
2005091257.tif 000003
【図２】
2005091257.tif 000004
【図３】
2005091257.tif 000005
【図４】
2005091257.tif 000006
【図５】
2005091257.tif 000007
【図６】
2005091257.tif 000008
【図７】
2005091257.tif 000009
【図８】
2005091257.tif 000010
【図９】
2005091257.tif 000011
【図１０】
2005091257.tif 000012
【図１１】
2005091257.tif 000013
【図１２】
2005091257.tif 000014